(57)【要約】  ルーレット盤の偏りを識別するための携帯用システムおよび方法が、タレット支持体に近接するルーレット盤に回転可能に装着可能なフレーム部材と、ボール落下管に通してルーレット盤の選択領域上に落とされたルーレットボールの少なくとも１つの跳ね返り高さを測定するように配置されたレーザと、を含む。１つまたは複数のセンサが、ルーレットボールが前記ボール落下管に通して落とされるのに応答してレーザをトリガするように配置され得る。ソフトウェアが、ルーレット盤上のデッドスポットおよびホットスポットを決定するために跳ね返り高さを分析する。音波が、デッドスポットおよびホットスポットを決定するために測定されてもよい。【選択図】  図１
2020516354.tif 000002
【特許請求の範囲】
【請求項１】
タレット支持体に近接するルーレット盤に回転可能に装着可能なフレーム部材と、
前記フレーム部材に摺動可能に係合されるボール落下管であって、前記ルーレット盤の中心付近から前記ルーレット盤の外側部分まで摺動可能である、ボール落下管と、
前記ボール落下管に通して前記ルーレット盤の円錐形部、セパレータリング、数字リングおよび下部ボールトラックのうちの１つまたは複数上に落とされたルーレットボールの少なくとも１つの跳ね返り高さを測定するように配置されたレーザと、
を備えるシステム。
【請求項２】
ルーレットボールが前記ボール落下管を通して落とされるのに応答して前記レーザをトリガするように配置された１つまたは複数のセンサをさらに備える、請求項１に記載のシステム。
【請求項３】
さらに前記レーザが前記フレーム部材の垂直部材に取り付けられる、請求項１に記載のシステム。
【請求項４】
前記ボール落下管が前記ボール落下管の少なくとも一部に沿ってカットアウトを含む、請求項１に記載のシステム。
【請求項５】
前記１つまたは複数のセンサが前記ボール落下管の上部開口に近接して配置される、請求項２に記載のシステム。
【請求項６】
ヒンジ付きフランジをさらに備え、前記ヒンジ付きフランジが、前記フレーム部材が上方に枢動できるように構成される、請求項１に記載のシステム。
【請求項７】
タレット支持体に近接するルーレット盤に回転可能に装着可能なフレーム部材と、
前記フレーム部材に摺動可能に係合されるボール落下管であって、前記ルーレット盤の中心付近から前記ルーレット盤の外側部分まで摺動可能である、ボール落下管と、
前記ボール落下管に通して前記ルーレット盤の円錐形部、セパレータリング、数字リングおよび下部ボールトラックのうちの１つまたは複数上に落とされたルーレットボールの少なくとも１つの跳ね返り高さを測定するように配置されたレーザと、
跳ね返り高さデータを、前記跳ね返り高さデータを評価するように構成されたソフトウェアアプリケーションに送信するための手段と、
前記跳ね返り高さデータを表示するための手段と、
を備えるシステム。
【請求項８】
ルーレットボールが前記ボール落下管を通して落とされるのに応答して前記レーザをトリガするように配置された１つまたは複数のセンサをさらに備える、請求項７に記載のシステム。
【請求項９】
さらに前記レーザが前記フレーム部材の垂直部材に取り付けられる、請求項７に記載のシステム。
【請求項１０】
前記ボール落下管が前記ボール落下管の少なくとも一部に沿ってカットアウトを含む、請求項７に記載のシステム。
【請求項１１】
前記１つまたは複数のセンサが前記ボール落下管の上部開口に近接して配置される、請求項８に記載のシステム。
【請求項１２】
ヒンジ付きフランジをさらに備え、前記ヒンジ付きフランジが、前記フレーム部材が上方に枢動できるように構成される、請求項７に記載のシステム。
【請求項１３】
ルーレット盤の偏りを識別する方法であって、
（ｉ）ルーレット盤に、フレーム部材、前記フレーム部材に連結されたボール落下管、およびルーレットボール跳ね返り高さを測定するように構成された少なくとも１つのレーザを備えるデバイスを回転可能に装着するステップと、
（ｉｉ）前記ボール落下管が前記ルーレット盤の円錐形部、セパレータリング、数字リングまたは下部ボールトラックの上方にあるように前記フレーム部材および前記ボール落下管を配置するステップと、
（ｉｉｉ）ルーレットボールを前記ボール落下管の中に落として、前記ルーレット盤の前記円錐形部、前記セパレータリング、前記数字リングまたは前記下部ボールトラックと接触させるステップと、
（ｉｖ）前記ステップ（ｉｉｉ）で前記ルーレット盤の前記円錐形部、前記セパレータリング、前記数字リングまたは前記下部ボールトラックと接触させた後で前記ルーレットボールの少なくとも１つの跳ね返り高さを記録するステップと、
（ｖ）必要に応じて前記ステップ（ｉｉ）〜（ｉｖ）を繰り返すステップと、
（ｖ）すべてのボール落下に関連する前記少なくとも跳ね返り高さを評価してルーレット盤の偏りを決定するステップと、
を含む方法。
【請求項１４】
前記少なくとも跳ね返り高さデータを、前記少なくとも跳ね返り高さデータを評価するように構成されたソフトウェアアプリケーションに送信するステップをさらに含む、請求項１３に記載の方法。
【請求項１５】
前記少なくとも跳ね返り高さデータをディスプレイに送信するステップをさらに含む、請求項１３に記載の方法。
【請求項１６】
前記ステップ（ｉｖ）の後で、前記フレーム部材を上方に枢動し、前記ボール落下管の下から前記ルーレットボールを回収するステップをさらに含む、請求項１３に記載の方法。
【請求項１７】
タレット支持体に近接するルーレット盤に回転可能に装着可能なフレーム部材と、
前記フレーム部材に摺動可能に係合されるボール落下管であって、前記ルーレット盤の中心付近から前記ルーレット盤の外側部分まで摺動可能である、ボール落下管と、
前記ルーレットボールが前記ルーレット盤の円錐形部、セパレータリング、数字リングまたは下部ボールトラックと接触することによって生成される少なくとも１つの音波振幅を測定するように配置された音検出デバイスと、
を備えるシステム。
【請求項１８】
ルーレット盤の偏りを識別する方法であって、
（ｉ）ルーレット盤に、フレーム部材、前記フレーム部材に連結されたボール落下管、および音波振幅を測定するように構成された少なくとも１つの音検出デバイスを備えるデバイスを回転可能に装着するステップと、
（ｉｉ）前記ボール落下管が前記ルーレット盤の円錐形部、セパレータリング、数字リングまたは下部ボールトラックの上方にあるように前記フレーム部材および前記ボール落下管を配置するステップと、
（ｉｉｉ）ルーレットボールを前記ボール落下管の中に落として、前記ルーレット盤の前記円錐形部、前記セパレータリング、前記数字リングまたは前記下部ボールトラックと接触させるステップと、
（ｉｖ）前記ルーレットボールが前記ルーレット盤の円錐形部、セパレータリング、数字リングまたは下部ボールトラックと接触することによって生成された少なくとも１つの音波振幅を記録するステップと、
（ｖ）必要に応じて前記ステップ（ｉｉ）〜（ｉｖ）を繰り返すステップと、
（ｖ）すべてのボール落下に関連する前記少なくとも音波振幅を評価してルーレット盤の偏りを決定するステップと、
を含む方法。
【発明の詳細な説明】
【関連出願の相互参照】
【０００１】
[0001]本出願は、参照によりあらゆる目的で本明細書に組み込まれる、２０１７年４月５日に出願された米国特許出願第１５／４８０，２７２号明細書の優先権の恩典を主張するものである。
【技術分野】
【０００２】
[0002]本発明の実施形態は、ルーレット盤（ｒｏｕｌｅｔｔｅ  ｗｈｅｅｌ）の数字リング（ｎｕｍｂｅｒ  ｒｉｎｇ）、セパレータリング（ｓｅｐａｒａｔｏｒ  ｒｉｎｇ）、円錐形部（ｃｏｎｅ）、および下部ボールトラックにおける偏り（ｂｉａｓｅｓ）を識別するための携帯用システムに関する。
【背景技術】
【０００３】
[0003]ルーレット盤は、真にランダムな結果をもたらすために数十年にわたり使用されている。残念ながら、ルーレット盤は経時的に偏りを進展させ得る。この種の偏りまたはデッドエリアは、どのポケットにルーレットボールが入るのかに影響を与え、それによってルーレット盤の真ランダム性を無効にし得る。
【０００４】
[0004]したがって、ルーレット盤の偏りを識別するためのシステムおよび方法を開発することが有益であろう。好適には、システムは携帯用であるべきである。
【発明の概要】
【０００５】
[0005]本発明の第１の実施形態は、タレット支持体に近接するルーレット盤に回転可能に装着可能なフレーム部材と、前記フレーム部材に摺動可能に係合されるボール落下管であって、前記ルーレット盤の中心付近から前記ルーレット盤の外側部分まで摺動可能である、ボール落下管と、前記ボール落下管に通して前記ルーレット盤の円錐形部、セパレータリング、数字リングおよび下部ボールトラックのうちの１つまたは複数上に落とされたルーレットボールの少なくとも１つの跳ね返り高さを測定するように配置されたレーザと、を備えるシステムを含む。別の実施形態では、１つまたは複数のセンサが、ルーレットボールが前記ボール落下管を通して落とされるのに応答して前記レーザをトリガするように配置される。
【０００６】
[0006]ルーレットボール落下に関連する跳ね返り高さおよび関連データはソフトウェアモジュールまたはアプリケーションに自動的に送信され、ソフトウェアモジュールまたはアプリケーションは、前記跳ね返り高さおよび関連データを保存するとともに、ユーザに前記跳ね返り高さおよび関連データの視覚的表現を提供する。一実施形態では、任意のボール落下データがルーレット盤の偏りを反映しているかどうかを決定するために標準偏差プロトコルが使用される。
【０００７】
[0007]ルーレット盤の偏りを識別する方法が、（ｉ）ルーレット盤に、フレーム部材、前記フレーム部材に連結されたボール落下管、およびルーレットボール跳ね返り高さを測定するように構成された少なくとも１つのレーザを備えるデバイスを回転可能に装着するステップと、（ｉｉ）前記ボール落下管が前記ルーレット盤の円錐形部領域、数字リング、セパレータリングまたは下部ボールトラックの上方にあるように前記フレーム部材およびボール落下管を配置するステップと、（ｉｉｉ）ルーレットボールを前記ボール落下管の中に落とすステップと、（ｉｖ）前記ボール落下に関連する少なくとも１つの跳ね返り高さを記録するステップと、（ｖ）必要に応じてステップ（ｉｉ）〜（ｉｖ）を繰り返すステップと、（ｖ）すべてのボール落下に関連する前記少なくとも跳ね返り高さを評価してルーレット盤の偏りを決定するステップと、を含む。
【０００８】
[0008]本発明の他の変形形態、実施形態および特徴は、以下の詳細な説明、図面および特許請求の範囲から明らかになるであろう。
【図面の簡単な説明】
【０００９】
【図１】本発明の実施形態によるルーレット盤の偏りを識別するための携帯用システムの図である。
【図２】本発明の実施形態によるルーレット盤の偏りを識別するための携帯用システムの別の図である。
【図３】本発明の実施形態によるフレーム部材およびボール落下管の図である。
【図４】本発明の実施形態によるフレーム部材および取付け手段の図である。
【図５】本発明の実施形態によるボール落下管の下部の図である。
【図６】本発明の実施形態によるボール落下管の上面図である。
【図７】本発明の実施形態によるフレーム部材の外側部分を示す図である。
【図８】本発明の実施形態によるルーレット盤の偏りを識別するための携帯用システムの上面図である。
【図９Ａ】本発明の実施形態によるシステムを運ぶために装備されるケースの図である。
【図９Ｂ】本発明の実施形態によるシステムを運ぶために装備されるケースの別の図である。
【図１０】本発明の実施形態によるシステムによって取り込まれたデータの視覚表現を示す図である。
【図１１】本発明の実施形態によるシステムを利用する一方法を詳述したフローチャートである。
【図１２】本発明の実施形態による音響測定値を使用する代替実施形態を示す図である。
【発明を実施するための形態】
【００１０】
[0020]本発明の実施形態による原理の理解を促進する目的で、次に図面に示されている実施形態が参照され、特定の言語が同実施形態を説明するために用いられる。それにもかかわらず、本発明の範囲の制限がそれによって意図されないことが理解されよう。本明細書に例示される本発明の特徴の改変およびさらなる修正、ならびに本明細書に例示される本発明の原理の追加の応用例は、本開示を入手した当業者なら普通に想起するものであり、特許請求される本発明の範囲内にあると考えられるべきである。
【００１１】
[0021]当業者なら理解するように、本発明の実施形態はソフトウェアとハードウェアを組み合わせている。さらに、本発明の諸態様は、コンピュータ可読プログラムコードがその上に具体化される、１つまたは複数のコンピュータ可読媒体内に具体化されるコンピュータプログラムプロダクトの形を取ることができる。
【００１２】
[0021]１つまたは複数のコンピュータ可読媒体の任意の組み合わせが利用されてもよい。コンピュータ可読媒体は、コンピュータ可読信号媒体またはコンピュータ可読記憶媒体でもよい。コンピュータ可読記憶媒体は、例えば、電子、磁気、光学、電磁気、赤外線、または半導体のシステム、装置、またはデバイス、あるいは前述の任意適当な組み合わせでもよいが、これらに限定されるものではない。コンピュータ可読記憶媒体のより具体的な例（非網羅的なリスト）には、１つまたは複数の電線を有する電気接続部、携帯用コンピュータディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、光ファイバ、携帯用コンパクトディスクリードオンリメモリ（ＣＤ−ＲＯＭ）、および光学式記憶デバイス、磁気記憶デバイス、または前述の任意適当な組み合わせが含まれる。本明細書の文脈では、コンピュータ可読記憶媒体は、命令実行システム、装置、またはデバイスによって使用されるためのプログラム、あるいは命令実行システム、装置、またはデバイスに関連するプログラムを含むまたは保存し得る任意の有形媒体でもよい。
【００１３】
[0022]本発明の諸実施形態に対する演算を実行するためのコンピュータプログラムコードは、Ｊａｖａ、Ｓｍａｌｌｔａｌｋ、Ｃ＋＋などのオブジェクト指向プログラミング言語、あるいは「Ｃ」プログラミング言語、ＡＪＡＸ、ＰＨＰ、ＨＴＭＬ、ＸＨＴＭＬ、Ｒｕｂｙ、ＣＳＳまたは類似のプログラミング言語などの従来の手続き型プログラミング言語を含む、１つまたは複数のプログラミング言語の任意の組み合わせで書かれていてもよい。プログラミングコードは、アプリケーション内に、オペレーティングシステム内に、システムファームウェアの一部として、またはこれらの任意適当な組み合わせで構成されてもよい。
【００１４】
[0023]本発明の諸態様は、本発明の諸実施形態による方法、装置（システム）およびコンピュータプログラムプロダクトのフローチャート図および／またはブロック図を参照して以下で説明される。フローチャート図および／またはブロック図の各ブロック、ならびにフローチャート図および／またはブロック図内のブロックの組み合わせは、コンピュータプログラム命令によって実行され得ることが理解されよう。これらのコンピュータプログラム命令は、コンピュータまたは他のプログラマブルデータ処理装置のプロセッサで実行する命令が、フローチャートおよび／またはブロック図の１つまたは複数のブロックにおいて規定された機能／行為を実行するための手段を作り出すように、機械を生産するために汎用コンピュータ、専用コンピュータ、または他のプログラマブルデータ処理装置のプロセッサに提供されてもよい。
【００１５】
[0024]これらのコンピュータプログラム命令は、コンピュータ可読媒体に保存された命令が、フローチャートおよび／またはブロック図の１つまたは複数のブロックに規定された機能／行為を実行する命令を含む製造物品を生産するように、コンピュータ、他のプログラマブルデータ処理装置、または他のデバイスに特定の態様で機能するよう指示することができるコンピュータ可読媒体に保存されてもよい。
【００１６】
[0025]次に図１および図２を参照すると、大まかに、ルーレットの偏りを識別するためのシステム１００が、フレーム部材１１０、ボール落下管１２０、レーザ１３０、および随意に１つまたは複数のセンサ１６７、１６８を備える。最も一般的なルーレット盤の偏りは、デッドスポット（ｄｅａｄ  ｓｐｏｔｓ）またはホットスポット（ｈｏｔ  ｓｐｏｔｓ）であるルーレット盤上の領域に関連する。本発明の実施形態は、ルーレット盤の数字リング（ルーレットの数字を含む）、セパレータリング（ボールポケットを含む）、円錐形部、および下部ボールトラック内のデッドスポットおよびホットスポットを識別するために使用され得る。ルーレットボールがデッドスポットまたはホットスポットに接触すると、ルーレットボールは、真にランダムではない結果（例えば、あるボールポケットに他のポケットよりも頻繁に入ること）を引き起こす異常な形で反応する傾向がある。非ランダムな結果は、カジノに対する優位性をプレーヤに提供する、またはプレーヤにルーレット盤とそのオペレータの真実性に疑問を感じさせる可能性がある。システム１００は、以下で詳述するように、そのようなデッド領域および過度に敏感な領域を検出するように構成される。
【００１７】
[0026]図３で最も良く分かるように、フレーム部材１１０の一端は、ねじ付き連結器１１４を受容し、それによってフレーム部材１１０をルーレット盤１５０のタレット支持体１５２に回転可能に接合するように構成されたヒンジ付きフランジ１１２を含む。このようにして、フレーム部材１１０は、ルーレット盤１５０の周囲を略水平面内で３６０°回転することができる。図７に示されているように、フレーム部材１１０の外側部分はセパレータリング１５４と接触して、必要に応じてルーレット盤１５０のまわりをフレーム部材１１０が容易に回転するための滑らかな接触をもたらす（固定されたルーレットボール１１７およびパッド１１８を含めて示されている）。フレーム部材１１０は、ヒンジ付きフランジ１１２のまわりを上方に枢動して（矢印Ａ参照）、落下ボール管１２０内に落とされたルーレットボールが回収されることが可能となり得る。
【００１８】
[0027]フレーム部材１１０は、水平ユニット１１１および垂直ユニット１１３で構成される。水平ユニット１１１は、ボール落下管１２０が円錐形部１５３からセパレータリング１５４および数字リング１５５を経由して下部ボールトラック１５６まで半径方向に摺動することを可能にするように構成される。図３〜図５に示されているように、ボール落下管１２０の中央部を受容するように構成された下部ブロック部材１６０が、水平ユニット１１１の離間されたスロット１６１、１６２の間にはまり、スロット１６１、１６２に沿って摺動する。調整可能な取付け用ねじ１６３は、下部ブロック部材１６０が離間されたスロット１６１、１６２に沿って半径方向に摺動するために緩められ、適切に位置付けられると締め付けられることを可能にする。図６を参照すると、上部ブロック部材１６５は、ボール落下管１２０の上部に近接するボール落下開口１６６を画定する。一実施形態では、上部ブロック１６５内のボール落下開口１６６は、名目上直径がルーレットボールよりも大きく、それによってボール落下のばらつきをなくす。下部ブロック部材１６０および上部ブロック部材１６５は共に垂直ユニット１１３に固定される。
【００１９】
[0028]図８は、垂直ユニット１１３の上部に装着されたレーザ１３０を示す。レーザ１３０は、光エネルギー（例えば赤外線）をボール落下管１２０経由で下方に放出するように配置される。ボール落下管１２０の少なくとも一部に沿ったカットアウト１２１は、レーザレシーバ１３１が前記ルーレットボールから反射した光エネルギーを受け取ってその光エネルギーに関連する跳ね返り高さを決定するための明瞭な視界をつくる。一実施形態では、ボール落下管１２０は透明アクリルで製作される。
【００２０】
[0029]上部ブロック部材１６５は、ボール落下周期の始まりを検出するように構成された２つのセンサ１６７、１６８を含む。図示のセンサ１６７、１６８は、上部ブロック１６５の対向壁の中に組み込まれ、ルーレットボールの挿入および解放を検出するように構成される。このようにして、ルーレットボールが最初にボール落下開口からボール落下管１２０内に挿入されると、センサ１６７、１６８はルーレットボールを検出する。次いで、ルーレットボールがセンサ１６７、１６８の間の空間から出ると（すなわち、センサ１６７、１６８が、ルーレットボールが落とされたのを検出すると）、レーザ１３０はトリガされて光エネルギーを放出し始める。このプロセスは、レーザ１３０がボール落下管１２０内へのルーレットボールの挿入に関連する跳ね返り高さを生成するのを妨げる。あるいは、センサがボール落下開口１６０の下のボール落下管１２０に沿った他の場所に配置されてもよく、このセンサは遮られるとレーザ１３０をトリガする。一実施形態では、センサは光ファイバセンサであるが、他のタイプのセンサが使用されてもよい。
【００２１】
[0030]図９Ａおよび図９Ｂは、フレーム部材１１０、ボール落下管１２０、レーザ１３０、およびセンサ１６７、１６８を含むシステム１００を保管するために使用され得るタイプのケース１７０を示す。加えて、ケース１７０は、レーザ１３０および／またはセンサ１６７、１６８によって取り込まれたデータ（例えば跳ね返り高さ）を受け取るように構成されたハードウェア／ソフトウェアを収容する。一実施形態では、ＲＳ２３２デバイスが、試験されているルーレット盤に接続された運用システムからのデータを、そのデータを評価するように設計されたメモリおよびソフトウェアに送信する。一実施形態では、キーボードウェッジプログラムがＲＳ２３２デバイスから送られた数値を取り込んで、データをカスタムスプレッドシートに入力する。ハードウェアおよびソフトウェアはケース内に収容されていて、移送されなければならないルーレット盤ではなくルーレット盤に移送されることができる携帯用システムをつくることができる。垂直ユニット１１３は、ケース内に保管する目的で水平ユニット１１１と略平行に配置され得る。
【００２２】
[0031]図１０は、取り込まれたデータの例示的な出力１８０を示す。図示のように、ルーレット盤の構成に応じた、数字リング１５５の周囲の３７、３８または３９個のボールポケット１８１がそれぞれ試験されると、ボール落下に関連する検出された跳ね返り高さ１８２および標準偏差１８３が得られた。平均跳ね返り高さ１８４が比較のためにリストに記載されている。一実施形態では、平均から２標準偏差外側にある跳ね返り高さには、問題としてフラグを立てられる。平均跳ね返り高さ１８４は、ルーレット盤の材料および特性に基づいて予めプログラムされ得る、または取り込まれたデータからリアルタイムに生成され得る。様々な跳ね返り高さのグラフ表示１８５も提示され得る。
【００２３】
[0032]図１１は、本明細書に記載のシステム１００を利用する一方法を詳述したフローチャート２００を示す。２０５で、フレーム部材１１０は、ルーレット盤のタレット支持体１５２に装着される。２１０で、ボール落下管１２０は、ルーレット盤の所望の領域の上に配置される。ボール落下管１２０は、離間されたスロット１６１、１６２に沿って円錐形部１５３、ボールポケットを含むセパレータリング１５４、数字リング１５５、そして下部ボールトラック１５６まで摺動され、ルーレット盤の周囲を３６０°回転させられ得る。すなわち、ボール落下管１２０は、適切にスピンをかけられたルーレットボールがゲームプレイ中に接触するルーレット盤領域の大部分の上に配置され得る。ボール落下管１２０が位置付けられると、２１５で、ルーレットボールはボール落下管に通して落とされる。２２０で、ボール落下データが取り込まれ、評価用のメモリおよびソフトウェアツールに送信される。データはさらに表示されてもよい。２２５で、すべての所望のルーレット盤領域が試験されたかどうかが決定される。もしそうでないなら、フローチャート２００は、再配置のために２１０へループバックする。すべての領域が試験された場合、２３０で、期待以下の成績のルーレット盤領域があれば、有資格者によって修理され再試験される。
【００２４】
[0033]代替実施形態では、ルーレットボールがルーレット盤上に落下することによって引き起こされる音波が音検出機器を使用して測定される。例えば、オシロスコープ、マイクロフォン、騒音計および／または記録装置などは、上述したようにルーレットボールがルーレット盤の様々な部分に衝突することによって生成された音波を検出するために使用され得る。上に詳述されたレーザ計測のように、検出された音波のばらつきに基づいて、デッドスポットおよびホットスポットが識別されてもよい。すなわち、より高い振幅音波がより大きな音波を表し、逆も同様である。音波振幅が決定済み正規または平均振幅よりも低い場合、音波振幅はデッドスポットを表すことができ、音波振幅が正規または平均振幅よりも高い場合、音波振幅はホットスポットを表すことができる。例えば、平均音波振幅から２標準偏差である音波振幅の場合、ルーレット盤を修理して欠陥を修正する必要がある。
【００２５】
[0034]図１２は、本発明の実施形態による音響システム３００のブロック図を示す。ボール落下管３０５が、上に詳述したようにルーレット盤３１０の上方に配置される。マイクロフォンや騒音計などの音検出デバイス３１５は、ボール落下管３１５に通して落とされたルーレットボール３１７とルーレット盤３１０との間の接触点の近くに配置される。前記接触によって生成された音波３２０の振幅は、音検出デバイス３１５によって取り込まれ、記録および分析のためのコンピュータシステム３２５に送信される。音検出デバイス３１５は、音波３２０の振幅を記録してからこの振幅をコンピュータシステム３２５に送信してもよい。音波の分析はボール高さデータの分析と同様である。より具体的には、異なるルーレット盤領域の場合の音波振幅は、異常を捜すために互いに対して比較される。例えば、平均音波振幅から２以上の標準偏差がある音波振幅は、デッドスポットまたはホットスポットを表し得る。
【００２６】
[0035]本発明はいくつかの実施形態に関連して説明されてきたが、追加の変形形態および修正形態が、以下の特許請求の範囲に記載され定義されているように本発明の範囲および主旨内に存在する。
【図１】
2020516354.tif 000003
【図２】
2020516354.tif 000004
【図３】
2020516354.tif 000005
【図４】
2020516354.tif 000006
【図５】
2020516354.tif 000007
【図６】
2020516354.tif 000008
【図７】
2020516354.tif 000009
【図８】
2020516354.tif 000010
【図９Ａ】
2020516354.tif 000011
【図９Ｂ】
2020516354.tif 000012
【図１０】
2020516354.tif 000013
【図１１】
2020516354.tif 000014
【図１２】
2020516354.tif 000015
【国際調査報告】
2020516354.tif 000016
2020516354.tif 000017